(57)【要約】【課題】前面板の外側表面が耐候性樹脂で被覆されている軒樋において、前方の上端に内向きに形成された耳部がある軒樋を梱包する際に複数の軒樋本体を積載しても、前面板に擦り傷が付きにくい軒樋を提供することを目的としている。【解決手段】（イ）前耳部の屋内側端縁部に係止凸部を形成して、前面板の上側前面板と下側前面板との間に外側から内側に凹没する係止凹溝を有して、（ロ）上側前面板は、下側前面板の延長線上より外側に位置して、（ハ）上側前面板と係止凹溝との間に、水切りリブを下方に突設している。【選択図】図１
2009007744.tif 000002
【特許請求の範囲】
【請求項１】
前面板の外側表面が耐候性樹脂で被覆されている軒樋にあって、底壁の一端から外側に傾斜して立設された前面板の上端に内側に突設した前耳部、および、後面板の上端に外側に突設した後耳部を備え、第一の軒樋の内面側に第二の軒樋の外面を沿わせて積載される軒樋において、以下の（イ）〜（ハ）を具備する軒樋。
（イ）前耳部の屋内側端縁部に係止凸部を形成して、前面板の上側前面板と下側前面板との間に外側から内側に凹没する係止凹溝を有している。
（ロ）上側前面板は、下側前面板の延長線上より外側に位置する。
（ハ）上側前面板と係止凹溝との間に、水切りリブを下方に突設する。
【請求項２】
係止凹溝と係止凸部とが、互いに重なり合う断面略円形状にそれぞれ形成されていることを特徴とする請求項１に記載の軒樋。
【請求項３】
係止凸部の上面から水切りリブ先端までの間隔aが、後耳部の高さと同じであることを特徴とする請求項１または２に記載の軒樋。
【請求項４】
係止凸部に係止リブを突設させていることを特徴とする請求項１〜３のいずれか一項に記載の軒樋。
【発明の詳細な説明】
【技術分野】
【０００１】
本発明は、軒樋に関するものである。
【背景技術】
【０００２】
従来から、軒樋の形状は、使用の用途や場所、または、外観上での見栄えやデザインなどを考慮して様々なものが製造されている。一般的な軒樋には、変形や破損を防止するために、軒樋の前後上端部にそれぞれ耳部を設けて強度の向上がなされている。この耳部は、軒樋支持金具に係止して、軒樋を建物の軒先に固定する役割もしている。これらの軒樋の１つとして、前面板の上端の耳部を内向きに突出して形成した軒樋が用いられている。さらに、耐候性をよくするために軒樋の外側表面を耐候性樹脂で被覆している。
【０００３】
しかし、前記のような軒樋にあっては、前方の上端に内向きに形成された耳部が邪魔で、良好な軒樋の積載状態がとりにくく荷崩れが起こりやすい、さらに、被覆した耐候性樹脂層に擦り傷が付く場合があった。
【０００４】
そこで、軒樋の前面板、および後面板の略同高位の内面に、肉厚が下方で厚く、上方で薄い段差を形成して積載される軒樋（例えば、特許文献１を参照。）が提案されている。
【特許文献１】特開平０７−２２９２５３号公報
【発明の開示】
【発明が解決しようとする課題】
【０００５】
本発明は、前面板の外側表面が耐候性樹脂で被覆されている軒樋において、前面板の上端に内向きに形成された耳部がある軒樋を梱包する際に複数の軒樋を積載しても、前面板に擦り傷が付きにくい軒樋を提供するものである。
【課題を解決するための手段】
【０００６】
即ち、本発明は、以下の要旨を有する。
【０００７】
（１）前面板の外側表面が耐候性樹脂で被覆されている軒樋にあって、底壁の一端から外側に傾斜して立設された前面板の上端に内側に突設した前耳部、および、後面板の上端に外側に突設した後耳部を備え、第一の軒樋の内面側に第二の軒樋の外面を沿わせて積載される軒樋において、以下の（イ）〜（ハ）を具備する軒樋。
（イ）前耳部の屋内側端縁部に係止凸部を形成して、前面板の上側前面板と下側前面板との間に外側から内側に凹没する係止凹溝を有している。
（ロ）上側前面板は、下側前面板の延長線上より外側に位置する。
（ハ）上側前面板と係止凹溝との間に、水切りリブを下方に突設する。
（２）係止凹溝と係止凸部とが、互いに重なり合う断面略円形状にそれぞれ形成されていることを特徴とする前記（１）に記載の軒樋。
（３）係止凸部の上面から水切りリブ先端までの間隔aが、後耳部の高さと同じであることを特徴とする前記（１）または（２）に記載の軒樋。
（４）係止凸部に係止リブを突設させていることを特徴とする前記（１）〜（３）のいずれか一項に記載の軒樋。
【発明の効果】
【０００８】
本発明によれば、前面板の外側表面が耐候性樹脂で被覆されている軒樋において、前面板の上端に内向きに形成された耳部がある軒樋を梱包する際に複数の軒樋を積載しても、前面板に擦り傷が付きにくい軒樋を容易に得ることができる。
【発明を実施するための最良の形態】
【０００９】
以下、本発明の具体的な実施形態を図面に基づいて説明するが、本発明はこれらの実施形態に限定されるものではない。図１は本発明の一実施例に係る軒樋を示す側面図である。図２は本発明の他の一実施形態に係る軒樋を示す側面図である。図３は本発明の一実施形態に係る軒樋の積載構造を示す側面図である。
【００１０】
本発明の軒樋１は、基材層と、少なくとも前面板５の基材層の外側を耐候性樹脂で被覆した耐候性樹脂層から構成されている。基材層を構成する樹脂としては特に限定されず、例えば、塩化ビニル樹脂、アクリル樹脂、ポリカーボネート樹脂、ポリエチレンテレフタレート樹脂、ポリオレフィン樹脂、ポリウレタン樹脂、ポリスチレン樹脂、これらを変性させた樹脂類、若しくはこれらの樹脂の共重合樹脂類等の熱可塑性合成樹脂、或は、鉄やアルミニウムなどの金属、ガラス繊維、カーボン繊維、紙材、フィラー、などを芯材とし、その両面に合成樹脂を被覆してなる基材層により作製されている。また、耐候性樹脂としては特に限定されず、例えば、ＡＥＳ（アクリルニトリル−エチレンプロピレンジエン共重合体−スチレン共重合体）、ＡＳＡ（アクリルニトリル−スチレン−アクリレート共重合体）、ＰＭＭＡ（ポリ−メチル−メタクリレート）等が挙げられる。これ以外にも、紫外線吸収剤、紫外線遮蔽剤、紫外線反射剤等を配合した熱可塑性樹脂であってもよい。
【００１１】
本発明の軒樋の形状は、第一の軒樋１Ａの内面側に第二の軒樋１Ｂの外面を沿わせて積載される、断面が上方に広がりを有する略凹状の形状である。前面板５と後面板３が同じ高さであって問題がない。図１に示すごとく、少なくとも前面板５の外側表面が耐候性樹脂で被覆されている軒樋にあって、底壁（図示略）の一端から外側に傾斜して立設された前面板５の上端に内側に突設した前耳部４、および、後面板３の上端に外側に突設した後耳部２を備え、この前耳部４、４同士と後耳部２、２同士とがそれぞれ上下に重なって積載される軒樋において、（イ）前耳部４の屋内側端縁部に係止凸部４１を形成して、前面板５の上側前面板５１と下側前面板５２との間に外側から内側に凹没する係止凹溝６を有して、（ロ）上側前面板５１は、下側前面板５２の延長線上より外側に位置して、（ハ）上側前面板５１と係止凹溝６との間に、水切りリブ７を下方に突設している。
【００１２】
係止凹溝の大きさ６１は、係止凸部の高さ４１Ｈを超えない範囲が好ましい。係止凹溝の大きさ６１が、係止凸部４１の高さ４１Ｈより大きくなると、軒樋１Ａ，１Ｂを複数積載する際に、係止凹溝６と係止凸部４１との重ねに支障が出る場合がある。
【００１３】
上側前面板５１は、下側前面板５２の延長線上より間隔ｂ１０２を隔てて外側に位置している。間隔ｂ１０２は、下側前面板５２の厚みより大きく、係止凹溝６の大きさ６１より小さいのが好ましい。間隔ｂ１０２が下側前面板５２の厚みよりも小さいと、軒樋１Ａ，１Ｂを複数積載する際に、前面板５の外側表面の耐候性樹脂層が係止凸部４１と接触して、耐候性樹脂層に擦り傷が付く恐れがある。一方、間隔ｂ１０２が係止凹溝６の大きさ６１を超えると、係止凹溝６が形成できなくなる恐れがある。
【００１４】
図１および図２に示すごとく、上側前面板と係止凹溝との間に水切りリブ７を下方に突設すると、この軒樋本体１を軒先（図示略）などに吊着した際に、軒樋本体１を伝う雨水などがあったとしても、この水切りリブ７によって、雨水が落下して、軒樋本体１の底部裏面や軒先にまで雨水などが伝うことがなく、軒先が濡れたり、汚れたりするのを阻止できるものである。さらに、水切りリブ７先端が係止凹溝６の上部に当接することで、複数の軒樋１Ａ，１Ｂを積載した際に、前述した間隔ｂ１０２の効果と合わせて、前面板５の外側表面の耐候性樹脂層に擦り傷が付くのを防止できる。
【００１５】
図１〜図３に示すごとく、係止凹溝６と係止凸部４１とが、互いに重なり合う断面略円形状にそれぞれ形成されているために、前耳部４、４同士と後耳部２、２同士とを、それぞれ上下に重ねると、係止凸部４１と係止凹溝６とがスムーズに当接して、軒樋本体１Ａ，１Ｂ同士の積載が確実なものとなり、荷崩れが防止できる。
【００１６】
図３に示すごとく、係止凸部４１の上面と水切りリブ７の先端との間隔a１００が、後耳部２の高さ１０１と同じであるので、軒樋本体１Ａ，１Ｂ同士の積載がさらに確実なものとなる。
【００１７】
図２に示すごとく、係止凸部４１の上部に係止リブ４１１を突設させると、係止凹溝６と係止凸部４１との当接が、さらに確実なものとなる。また、後耳部２の下部に凹み２１を設けると、後耳部２、２同士の積載がより確実なものとなる。
【００１８】
本発明の軒樋は、複数の軒樋本体１Ａ，１Ｂ同士を積載しても、前面板に擦り傷が付きにくい軒樋である。
【００１９】
さらに、下側の軒樋本体１Ａと上側の軒樋本体１Ｂの、後耳部２、２同士が重なり、そして、上側の軒樋本体１Ｂの係止凹溝６と下側の軒樋本体１Ａの係止凸部４１とが当接しているので、下側の軒樋本体１Ａの内面に上側の軒樋本体１Ｂの外面を沿わせて軒樋１を複数次々に積載して梱包することができて、梱包の効率が高くなるものである。
【図面の簡単な説明】
【００２０】
【図１】本発明の一実施例に係る軒樋を示す側面図である。
【図２】本発明の他の一実施形態に係る軒樋を示す側面図である。
【図３】本発明の一実施形態に係る軒樋の積載構造を示す側面図である。
【符号の説明】
【００２１】
１、１Ａ、１Ｂ  軒樋
２  後耳部
２１  凹み
３  後面板
４  前耳部
４１  係止凸部
４１Ｈ  高さ
４１１  係止リブ
５  前面板
５１  上側前面板
５２  下側前面板
６  係止凹溝
６１  係止凹溝の大きさ
７  水切りリブ
１００  間隔a
１０１  高さ
１０２  間隔ｂ
【図１】
2009007744.tif 000003
【図２】
2009007744.tif 000004
【図３】
2009007744.tif 000005